(57)【特許請求の範囲】
【請求項１】
２組のアンテナコイル及びＩＣチップを備えて成る非接触式ＩＣカードにおいて、
非接触式ＩＣカードの外装を構成する２枚のフィルム状のシートと、
これら２枚のシートの中間部に配設された中間シートとを備え、
一方のシートの前記中間シートに対向する側の面に一方の組のアンテナコイル及びＩＣチップを実装し、
他方のシートの前記中間シートに対向する側の面に他方の組のアンテナコイル及びＩＣチップを実装し、
前記３枚のシートを接着剤層を介して接着するように構成したことを特徴とする非接触式ＩＣカード。
【請求項２】
一方の組のＩＣチップのサイズと他方の組のＩＣチップのサイズを異ならせるように構成したことを特徴とする請求項１記載の非接触式ＩＣカード。
【発明の詳細な説明】
【０００１】
【発明の属する技術分野】
本発明は、アンテナコイル及びこのアンテナコイルに接続されたＩＣチップを備えて成る非接触式ＩＣカードに関する。
【０００２】
【従来の技術】
非接触式のＩＣカードは、外装を構成する２枚の絶縁部材からなるフィルム状のシートと、これらシートを接着する接着剤層とから構成されている。２枚のシートのうちの一方のシートの実装面（内面）には、アンテナコイルとＩＣチップ等が実装されている。
【０００３】
【発明が解決しようとする課題】
上記従来構成のＩＣカードにおいては、ＩＣチップがベアチップであるため、ＩＣカードに何らかの外力が加わったときに、ＩＣチップが破損することがあった。このため、ＩＣチップの上に補強板を載置することにより、ＩＣチップの強度を高くする対策が採られている。しかし、このような補強対策を行っても、あまり十分ではなく、故障率が１％程度あると考えられている。そして、故障率がこの程度であると、ＩＣカードを自動車や家の鍵として使用しようとした場合には、信頼性が低く、実際には使用することができなかった。
【０００４】
そこで、本発明の目的は、外力等に対する信頼性を高くすることができる非接触式ＩＣカードを提供することにある。
【０００５】
【課題を解決するための手段】
請求項１の発明によれば、２組のアンテナコイル及びＩＣチップを備える構成としたので、故障率が十分小さくなり、外力等に対する信頼性を高くすることができ、また、非接触式ＩＣカードの外装を構成する２枚のフィルム状のシートの各内側の面に、アンテナコイル及びＩＣチップをそれぞれ実装し、２枚のシートの中間部に中間シートを配設し、更に、３枚のシートを接着剤層を介して接着するように構成したので、構成を簡単化できると共に、製造性を向上させることができる。
【０００９】
請求項２の発明によれば、一方の組のＩＣチップのサイズと他方の組のＩＣチップのサイズを異ならせるように構成したので、サイズを例えば小さくしたＩＣチップは破損し難くなり、サイズを例えば大きくしたＩＣチップは機能を増やすことができる。
【００１０】
【発明の実施の形態】
以下、本発明の第１の実施例について、図１ないし図３を参照しながら説明する。まず、図１及び図２は、本実施例の非接触式のＩＣカード１の分解構造及び縦断面構造を概略的に示す図である。これら図１及び図２に示すように、ＩＣカード１は、図２中の下側の外装を構成するシート２と、図２中の上側の外装を構成するシート３と、シート２、３の中間部に配設された中間シート４と、シート２と中間シート４を接着する接着剤層５と、シート３と中間シート４を接着する接着剤層６とから構成されている。
【００１１】
各シート２、３、４は、フィルム状の絶縁部材である例えばプラスチック板で構成されている。シート２の実装面（図２中の上面）には、１組のアンテナコイル７及びＩＣチップ８が実装されている。アンテナコイル７の両端は、ＩＣチップ８に接続されている。上記アンテナコイル７は、例えば導電性ペーストをスクリーン印刷することにより構成されている。尚、アンテナコイル７を銅箔等からなる導体パターンにより構成しても良い。
【００１２】
そして、他方のシート３の実装面（図２中の下面）には、他の１組のアンテナコイル９及びＩＣチップ１０が実装されている。アンテナコイル９の両端は、ＩＣチップ１０に接続されている。上記アンテナコイル９は、例えば導電性ペーストをスクリーン印刷することにより構成されている。尚、アンテナコイル９を銅箔等からなる導体パターンにより構成しても良い。ここで、ＩＣチップ１０は、ＩＣチップ８と同じサイズ（即ち、同じ回路構成）のチップである。
【００１３】
更に、接着剤層５、６は、例えば熱溶融性を有するプラスチックシートにより構成されている。この構成の場合、シート２、接着剤層５、中間シート４、接着剤層６及びシート３を積層したものを、熱プレス装置（図示しない）によって熱圧着すると、接着剤層５、６が溶融して流動性を帯びるようになり、シート２、３、４の各間が十分に充填されて強固に接着される構成となっている。このように接着されたＩＣカード１は、その厚み寸法が例えば０．７６ｍｍ程度となるように構成されている。尚、ＩＣカード１内におけるＩＣチップ８、１０の上には、補強板（図示しない）が載置されている。
【００１４】
さて、上記した構成のＩＣカード１のＩＣチップ８、１０は、アンテナコイル７、９を介してＩＣカードリードライト装置（図示しない）から電源が供給されると共に、ＩＣカードリードライト装置との間でデータ信号が送受信されるように構成されている。この場合、２個のＩＣチップ８、１０は、チップを識別するコード（チップＩＤ）のデータだけが異なり、他のデータやプログラム等は同じになるように構成されている。これにより、ＩＣカードリードライト装置は、２個のＩＣチップ８、１０と送受信することにより、２個のＩＣチップ８、１０を識別することが可能なように構成されている。
【００１５】
ここで、上記ＩＣカード１を例えば鍵として使用する場合の動作について、図３のフローチャートを参照して説明する。この場合、ＩＣカード１の２個のＩＣチップ８、１０には、鍵のコード（即ち、特定の錠を開くためのデータ）が記憶されている。また、ＩＣカードリードライト装置は、例えば家の扉の錠に装着されていると共に、この錠を開閉駆動すること、即ち、開錠（解錠）／閉錠することが可能なように構成されている。尚、図３のフローチャートは、ＩＣカードリードライト装置の制御プログラムの制御内容を概略的に示している。
【００１６】
まず、ユーザーがＩＣカード１をＩＣカードリードライト装置に近付ける、または、ＩＣカード１をＩＣカードリードライト装置のカード挿入口に差し込むと、図３のステップＳ１０に示すように、ＩＣカードリードライト装置（図３中ではリーダと称す）からＩＣカード１へリクエストコマンドが送信される。続いて、ステップＳ２０へ進み、ＩＣカード１の２個のＩＣチップ８、１０からのレスポンスがあったか否かを判断する。
【００１７】
ここで、２個のＩＣチップ８、１０のいずれからもレスポンスがない場合は、ステップＳ２０にて「ＮＯ」へ進み、何もしないで、即ち、解錠しないで、動作を完了するように構成されている。
【００１８】
一方、２個のＩＣチップ８、１０からレスポンスがあった場合には、ステップＳ２０にて「ＹＥＳ」へ進み、一方のＩＣチップ８をスロット１に割り当て、他方のＩＣチップ１０をスロット２に割り当てる（ステップＳ３０）。この場合、スロット１、２のＩＣチップ８、１０への割り当て方は、逆にしても良い。
【００１９】
そして、ステップＳ４０へ進み、スロット１のＩＣチップ８を呼び出すと共に、そのＩＣチップ８から応答があったか否かを判断する。ここで、応答があった場合（即ち、ＩＣチップ８に記憶されている鍵のコードを受信した場合）は、ステップＳ４０にて「ＹＥＳ」へ進み、開錠処理を実行する（ステップＳ５０）。これにより、家の扉の錠が開放される。尚、受信した鍵のコードが、ＩＣカードリードライト装置側に予め記憶しているコードと一致しない場合には、開錠しないように構成されている。
【００２０】
続いて、ステップＳ８０へ進み、スロット２のＩＣチップ１０を呼び出すと共に、そのＩＣチップ１０から応答があったか否かを判断する。ここで、応答があった場合（即ち、ＩＣチップ１０に記憶されている鍵のコードを受信した場合）は、ステップＳ８０にて「ＹＥＳ」へ進み、開錠処理を実行する（ステップＳ９０）。尚、受信した鍵のコードが、ＩＣカードリードライト装置側に予め記憶しているコードと一致しない場合には、開錠しないように構成されている。これにより、上記ＩＣカード１を鍵として使用して、錠を開放する動作が完了する。
【００２１】
ここまで説明した制御動作は、ＩＣカード１の２個のＩＣチップ８、１０の両方が正常に動作する場合である。次に、２個のＩＣチップ８、１０のうちの一方しか正常に動作しない場合、並びに、両方とも正常に動作しない場合について説明する。
【００２２】
前記ステップＳ４０において、ＩＣチップ８からの応答がない場合（即ち、鍵のコードを受信しない場合）には、「ＮＯ」へ進み、スロット２のＩＣチップ１０を呼び出すと共に、そのＩＣチップ１０から応答があったか否かを判断する（ステップＳ６０）。ここで、応答があった場合（即ち、ＩＣチップ１０に記憶されている鍵のコードを受信した場合）は、ステップＳ６０にて「ＹＥＳ」へ進み、開錠処理を実行する（ステップＳ７０）。これにより、家の扉の錠が開放される。尚、受信した鍵のコードが、ＩＣカードリードライト装置側に予め記憶しているコードと一致しない場合には、開錠しないように構成されている。
【００２３】
そして、ステップＳ１００へ進み、ＩＣカード１内の１個のＩＣチップが破損していることを報知する（この場合、ＩＣチップ８が破損している）。この報知は、例えば、ＩＣカードリードライト装置に設けられたディスプレイに上記報知内容のメッセージを表示するように構成されている。尚、音声等で報知するように構成しても良い。
【００２４】
また、前記ステップＳ６０において、ＩＣチップ１０からの応答がない場合（即ち、鍵のコードを受信しない場合）には、「ＮＯ」へ進み、何もしない（解錠しない）で、制御動作を完了するように構成されている。
【００２５】
一方、前記ステップＳ８０にて、ＩＣチップ１０からの応答がない場合（即ち、鍵のコードを受信しない場合）には、「ＮＯ」へ進み、ステップＳ１００へ進み、ＩＣカード１内の１個のＩＣチップが破損していることを報知するように構成されている（この場合、ＩＣチップ１０が破損している）。
【００２６】
このような構成の本実施例によれば、非接触式ＩＣカード１の内部に、２組のアンテナコイル７、９及びＩＣチップ８、１０を備える構成としたので、１組のアンテナコイル及びＩＣチップの故障率が例えば１％程度であったとしても、２組分では、１％×１％＝０．０１％となり、故障率が十分小さくなる。これにより、外力等に対する信頼性を十分に高くすることができる。この結果、ＩＣカード１を自動車や家等の鍵として使用することが十分可能となる。
【００２７】
また、上記実施例においては、非接触式ＩＣカード１の外装を構成する一方のシート２に一方の組のアンテナコイル７及びＩＣチップ８を実装し、他方のシート３に他方の組のアンテナコイル９及びＩＣチップ１０を実装するように構成したので、２組のアンテナコイル及びＩＣチップを備える構成を簡単な構成にて容易に実現することができる。この構成の場合、図１に示すように、一方の組のＩＣチップ８と他方の組のＩＣチップ１０を、十分離間させて配置する、具体的には、対角線のほぼ両端に配置するように構成したので、外力等により２個のＩＣチップ８、１０が両方とも同時（一緒）に破損する可能性がかなり低くなり、信頼性をより一層高くすることができる。
【００２８】
尚、上記第１の実施例では、ＩＣカード１の２個のＩＣチップ８、１０のいずれか一方とＩＣカードリードライト装置との間の送受信を先に実行し、他方とＩＣカードリードライト装置との間の送受信を後に実行するように構成したが、これに代えて、先に送受信するＩＣチップと、後で送受信するＩＣチップを予め決めておく（固定する）ように構成しても良い。
【００２９】
更に、一方の組のＩＣチップ８のサイズと他方の組のＩＣチップ１０のサイズを異ならせるように構成しても良い。例えば、一方の組のＩＣチップ８は、開錠するために必要なデータや機能のみを搭載し、できるだけ小さいサイズとし、破損し難い構成とする。これに対して、他方の組のＩＣチップ１０は、他のアプリケーションにも利用できるようにデータや機能等を増やし、サイズを大きくするように構成することが好ましい。
【図面の簡単な説明】
【図１】  本発明の第１の実施例を示すＩＣカードの分解斜視図
【図２】  ＩＣカードの縦断面図
【図３】  フローチャート
【符号の説明】
１は非接触式ＩＣカード、２はシート、３はシート、４は中間シート、７はアンテナコイル、８はＩＣチップ、９はアンテナコイル、１０はＩＣチップ、１１は絶縁層を示す。
【図１】
0003815337.tif 000002
【図２】
0003815337.tif 000003
【図３】
0003815337.tif 000004